(57)【特許請求の範囲】
【請求項１】
原材料木材を所望長さに切断加工した木材の端面又は木口加工した木口端から木口端部側面までの間に、前記原材料木材の木材認識情報を入力する第１の認識タグを取外し可能に取付け、
前記第１の認識タグを含む前記木材の端部を長尺方向に対して直角端面にするために切断加工した後、前記第１の認識タグを取外し回収して他の木材認識情報或いはプレカット加工後の木材製品の製品認識情報を入力して第２の認識タグとし、
前記木材をプレカット加工する際にプレカット切削部位と干渉しない位置に前記第２の認識タグを付設することを特徴とする木材用認識タグの取付け方法。
【請求項２】
前記第１、第２の認識タグは、認識情報を保有する非接触用のＩＣチップ及び認識情報を入出力するアンテナを可撓性の絶縁材料で覆い、両端部は着脱容易な固定部材を係合する固定部を有することを特徴とする請求項１記載の木材用認識タグの取付け方法。
【請求項３】
前記第１及び第２の認識タグは、薄板状で矩形を成し、両端部の前記固定部は切込みにして前記固定部材はステップルを用いることを特徴とする請求項１又は２記載の木材用認識タグの取付け方法。
【請求項４】
前記第１及び第２の認識タグは、前記固定部の内側近傍に突部を設けることを特徴とする請求項１ないし３のいずれかに記載の木材用認識タグの取付け方法。
【請求項５】
前記第１の認識タグの前記木材認識情報は、原材料木材を特定する産地、製造元、製造日、樹種、等級、Ｗ（幅）、Ｈ（高さ）、Ｌ（長さ）、価格のデータであり、前記第２の認識タグの前記製品認識情報は、木材製品を特定する製造元、製造日、樹種、等級、Ｗ（幅）、Ｈ（高さ）、Ｌ（長さ）、住宅メーカの名称、棟名、部品コード、プレカット加工場所、加工予定日、加工内容、加工終了日、出荷予定日、手加工、組立手順、価格のデータであり、これらのデータは適宜書き込み、消去又は書き換えられて保有されるものであることを特徴とする請求項１ないし４のいずれかに記載の木材用認識タグの取付け方法。
【発明の詳細な説明】
【技術分野】
【０００１】
本発明は、例えば、住宅用木材の原材料木材やプレカット加工する木材製品の管理等に使用する木材用認証タグの取付け方法に関する。
【背景技術】
【０００２】
図８は、従来の一般的なプレカット製品の加工、出荷等の流れを示すブロック図である。一般に、住宅メーカ或いは工務店（以下「住宅メーカ等」と略称する）Ａは、顧客から住宅建築を受注し、住宅建築用図面を作成する。住宅メーカ等Ａが作成した前記住宅建築用図面に合わせてプレカット会社ＢがＣＡＤ入力し（ステップｂ２）、製品を加工するためその入力データが所望のものかを住宅メーカ等Ａが確認後、プレカット会社Ｂにプレカット製品を発注する（ステップａ１）。プレカット会社Ｂにおいては、受注（ステップｂ１）後、前記入力データに基づいて、木取割付票、木出し表及び加工データを作成し、生産計画を立案する（生産管理）（ステップｂ３）。ここで、プレカット製品の加工に必要な原材料木材（素材）を木材販売会社Ｃに発注する（ステップｂ４）。必要に応じて、棚卸及び入出庫管理（在庫管理）を実施する（ステップｂ５）。木材販売会社Ｃにおいては、原材料木材を受注（ステップｃ１）することにより、指定された木材を選択し、木材販売会社Ｃの木材倉庫１からプレカット会社Ｂに納入する（ステップｃ２）。原材料木材が納入されたプレカット会社Ｂでは、木出作業（ステップｂ６）を行ない、プレカット設備２で長さ切断を含むプレカット加工をしてプレカット製品とし（ステップｂ７）、検品、梱包、保管を行ない（ステップｂ８）、住宅メーカ等Ａの建築現場３に出荷、配送する（ステップｂ９）。建築現場３ではプレカット製品が検収される（ステップａ２）。
【０００３】
上記のように、木材の発注は、住宅メーカ等Ａ、プレカット会社Ｂ、木材販売会社Ｃの順に行なわれ、木材は、木材販売会社Ｃ、プレカット会社Ｂ、住宅メーカ等Ａの順に納入される。また、木材の加工は、プレカット会社Ｂのプレカット設備２で行なわれ、原材料木材の在庫等の管理は、プレカット会社Ｂ、木材販売会社Ｃにてそれぞれ行われる。特に、住宅メーカ等Ａ、プレカット会社Ｂ、木材販売会社Ｃは、それぞれ複数存在し、それぞれの会社間の関連（原材料発注、原材料納品、プレカット製品発注、プレカット製品納入等）は各会社数に応じて発生し、更に、建築現場は物件毎に管理されている。
【０００４】
上記木材は、木材販売会社Ｃ、プレカット会社Ｂ、住宅メーカ等Ａの間にてそれぞれ搬入、搬送されると共に、各社或いは建築現場にて個々に管理、加工されている。また、一般に、建築現場で必要とされる木材製品、例えば家屋１棟分をまとめて搬入、加工、搬送することが行われている。このため、管理すべき事項は多岐にわたると共に、各社、各現場にてそれぞれ管理することが必要であったが、作業者が手作業で木材製品を確認することで管理していたので、管理作業が非常に煩雑で手間がかかるという問題があった。
【０００５】
そこで、インターネットやオンラインを利用して木材を管理するシステムとして、特許文献１に記載される技術が本願出願人により提案されている。このシステムにおいては、データの入力や読み取りにＩＣタグ等の認証タグを用いており、認証タグの使用によって管理作業が簡便になることが確認されている。
【０００６】
しかしながら、木材の表面はささくれ立っていたり、ゴミ、ホコリ等が付着しているためシート状の認証タグを貼り付けても剥離することがあった。また、木材は積み重ねられると共に、プレカット会社で予め建築物に使用する所望の寸法形状に切断、切削等のプレカット加工が施されるため、単に認識タグを木材の表面に取り付けるだけでは、重なり合った木材で擦れて損傷又は剥がれ落ちるという問題が生じるおそれがあった。そのため、本願出願人は、特許文献２に記載されるように、認識ＩＣタグの剥がれ防止ができ、取付位置を確認して容易にデータ入力、読み取りができる認識タグの取付構造を提案した。この取付構造においては、木材製品に凹部を形成した取付位置に認識タグを接着剤で強固に固定する方法が取られ、認識タグは損傷から保護される。
【０００７】
特許文献２に記載された技術は、認識タグの再使用は可能だが、基本的には認識タグを木材製品から容易に剥離しないようにして、認識タグをそのままにしていた。
【先行技術文献】
【特許文献】
【０００８】
【特許文献１】特開２００７−３０１９５９号公報
【特許文献２】特開２００９−０１２４０７号公報
【発明の概要】
【発明が解決しようとする課題】
【０００９】
本発明は、この種の認識タグにおいて、その取り付け、取り外しが容易に可能であり、取り外した後に再使用できて、取り付け後の位置を確認して容易に原材料木材や木材製品のデータの入力、読み取りを可能にする木材用認識タグの取付け方法を提供するものである。
【課題を解決するための手段】
【００１０】
本発明の木材用認識タグの取付け方法は、原材料木材を所望長さに切断加工した木材の端面又は木口加工した木口端から木口端部側面までの間に、前記原材料木材の木材認識情報を入力する第１の認識タグを取外し可能に取付け、前記第１の認識タグを含む前記木材の端部を長尺方向に対して直角端面にするために切断加工した後、前記第１の認識タグを取外し回収して他の木材認識情報或いはプレカット加工後の木材製品の製品認識情報を入力して第２の認識タグとし、前記木材をプレカット加工する際にプレカット切削部位と干渉しない位置に前記第２の認識タグを付設するものである。
【００１１】
また、前記第１、第２の認識タグは、認識情報を保有する非接触用のＩＣチップ及び認識情報を入出力するアンテナを可撓性の絶縁材料で覆い、両端部は着脱容易な固定部材を係合する固定部を有すものである。
【００１２】
また、前記第１及び第２の認識タグは、薄板状で矩形を成し、両端部の前記固定部は切込みにして前記固定部材はステップルを用いる。
【００１３】
また、前記第１及び第２の認識タグは、前記固定部の内側近傍に突部を設ける。
【００１４】
また、前記第１の認識タグの前記木材認識情報は、原材料木材を特定する産地、製造元、製造日、樹種、等級、Ｗ（幅）、Ｈ（高さ）、Ｌ（長さ）、価格のデータであり、前記第２の認識タグの前記製品認識情報は、木材製品を特定する製造元、製造日、樹種、等級、Ｗ（幅）、Ｈ（高さ）、Ｌ（長さ）、住宅メーカの名称、棟名、部品コード、プレカット加工場所、加工予定日、加工内容、加工終了日、出荷予定日、手加工、組立手順、価格のデータであり、これらのデータは適宜書き込み、削除又は書き換えられて保有される
【発明の効果】
【００１５】
本発明によれば、認識タグは、何回も再使用できるので木材製品が高価になることがなく、効率的である。
【００１６】
また、簡単に取外しできる固定部材を用いて認証タグ端部の固定部を固定することにより、ＩＣチップやアンテ尚傷つけることなく取外しできるので、認識タグの再使用が可能になる。
【００１７】
また、認識タグの固定部近傍に突部を設けたので、認識タグと木材製品表面との間に少しの隙間ができる余裕ができるので、ＩＣチップを覆う部位の可撓性材表面に傷がつき難くなり、データの入力、読み取りが確実にできる。
【図面の簡単な説明】
【００１８】
【図１】本発明の一実施例に係る木材用認証タグの取付け方法を示す斜視図である。
【図２】ＩＣタグを示す斜視図である。
【図３】ＩＣタグを木材１０に取り付けた状態を示す斜視図である。
【図４】第２のＩＣタグを木材に付設した状態を示す斜視図である。
【図５】外形の異なるＩＣタグの変更例を示す平面図である。
【図６】ＩＣタグの固定部の変更例を示す平面図である。
【図７】ＩＣタグの変形例を示す一端部の斜視図である。
【図８】従来の一般的なプレカット製品の加工、出荷等の流れを示すブロック図である。
【発明を実施するための形態】
【００１９】
本発明の木材用認証タグの取付け方法における認識タグはＩＣタグを用い、原材料木材を所望長さに切断加工した木材及び建築物の組立材として使用する所望寸法形状にプレカット加工する木材製品に取り付けられる。木材に取り付けられるＩＣタグは、第１のＩＣタグとして木材の一方の端面又は両端面に、或いは木口加工した木口端から木口端部側面までの間に取り外し可能に取り付けられる。木材製品に取り付けられるＩＣタグは、木材の端部を切断後に取り外した第１のＩＣタグにデータを再入力して第２のＩＣタグとし、プレカット加工する際にプレカット切削部位と干渉しない位置に付設する。
【００２０】
上記のように、木材から取り外された第１のＩＣタグは第２のＩＣタグとして再使用するため、ＩＣタグを効率的に使用できて木材製品の価格が高くなるのを押さえることができる。
【００２１】
また、ＩＣタグはデータを書き直して数回使用するので小さい容量のＩＣチップが使用可能であり、ＩＣチップは小型で簡易なものを用いることができて安価になる。
【実施例】
【００２２】
図１は、本発明の一実施例に係る木材用認識タグの取付け方法を示す斜視図である。木材１０は、原材料木材としての状態にあり、数種の規格に載った所定長さ、例えば３０×３０×２００ｃｍに切断されて断面１０１は正方形をなしている。この木材１０は、切断、切削等のプレカット加工が施される前の状態にある。木材１０の一方の端面１０１に第１の認識タグたる第１のＩＣタグ１１を取り付ける。木材１０の端面１０１は、他の木材を積み重ねても擦れ合い難く、加工機械の加工台等に触れることがないため、第１のＩＣタグ１１が損傷或いは脱落することがないので適当な場所である。
【００２３】
尚、本実施例では、第１のＩＣタグ１１を木材１０の一方の端面１０１に取り付けるが、木材の端面１０１が粗い面であったり、平面状になっていない場合は第１のＩＣタグ１１を取り付け難いので、図１の点線で示すように、第１のＩＣタグ１１は切断面たる木口端から木口端部側面までの間Ｌに取り付けられる。
【００２４】
図２は、第１のＩＣタグを示す斜視図である。第１のＩＣタグ１１は、送受信用のアンテナ１２のパターンが設けられた薄いシート状のフレキシブル基板１３と、このフレキシブル基板１３に実装されたＩＣチップ１４とを可撓性の絶縁材で薄く被覆して長方形の板状を形成し、ＩＣチップ１４が中央部に位置するようにしている。第１のＩＣタグ１１の両端部は、金属製又は樹脂製の針、鋲、ステップル等の固定部材を係合する固定部たる切込み１５を設けている。
【００２５】
図３は、第１のＩＣタグ１１を木材１０に取り付けた状態を示す斜視図である。第１のＩＣタグ１１の端部の切込み１５には、コ字状を有す金属製のステップル１６を係合してステップル打込み機で木材１０に打ち込み、第１のＩＣタグ１１は木材１０に固定される。木材１０に打ち込まれたステップル１６は、リムーバ等の工具で容易に取り外しが可能である。
【００２６】
木材１０に取り付けられた第１のＩＣタグ１１のＩＣチップ１４には、認識情報として原材料木材を特定する産地、製造元、製造日、樹種、等級、Ｗ（幅）、Ｈ（高さ）、Ｌ（長さ）、価格などのデータがアンテナ１２を介して入力され、木材１０の保管、出荷、加工等の管理に使用される。すなわち、第１のＩＣタグ１１を取り付けた木材１０は、搬送・搬入時において、認識情報を非接触にて読み込むことができるリーダライタをそれぞれ別途用意して第１のＩＣタグ１１に保有されたデータを読み取ることで、簡単に木材１０の状態を把握し、管理することができる。
【００２７】
第１のＩＣタグ１１を端面１０１に固定した木材１０は、図１の一点鎖線で示すように、直角方向に対して直角面を出すためにハナ切り、後切りと呼ばれる木材端部の切断加工を施して第１のＩＣタグ１１を含めて端部１０２を切り離す。切り離された端部１０２からは、一定のタイミングで第１のＩＣタグ１１をリムーバ等の工具を用いて取り外して回収しておき、回収した第１のＩＣタグ１１には、既に入力していた木材認識情報としたデータを削除し、新たに他の木材認識情報或いはプレカット加工してできる木材製品の製品認識情報を入力して第２の認識タグたる第２のＩＣタグとして再利用する。
【００２８】
図４は、第２のＩＣタグを木材半製品に付設した状態を示す斜視図である。第２のＩＣタグ１７には、製品認識情報として木材製品を特定する製造元、製造日、樹種、等級、Ｗ（幅）、Ｈ（高さ）、Ｌ（長さ）、価格、住宅メーカ等の名称、棟名、部品コード、プレカット加工場所、加工予定日、加工内容、加工終了日、出荷予定日、手加工、組立手順、構造補強金具使用等のデータが適宜書き込みまれて保有される。木材１０の端部１０２を切断加工した木材半製品２３は、プレカット加工後に木材製品１８、１９、２０として使用されるため、第２のＩＣタグ１７は、プレカット加工する際にプレカット切断部位２１、２２と干渉しない位置に付設する。すなわち、端部１０２が切断加工された木材半製品２３には、木造建築物の組立材として使用する所定長さの複数の木材製品１８、１９、２０に分割し、かつ切り溝２４、孔２５などが切削加工され、切断部位２１，２２及び切削加工部位と離れた位置に第２のＩＣタグ１７を付設する。
【００２９】
尚、第２のＩＣタグ１７の取り付けは、容易に剥離しないように固定するが、取り外し可能に取り付けてもよい。また、第２のＩＣタグ１７は、木材製品を集積したときに他の木材製品と重なり合わない位置、或いは第２のＩＣタグ１７同士が重なり合わない位置に設けるようにする。
【００３０】
その結果、第２のＩＣタグ１７は、木材同士の間や側方から目視で確認が可能となり、リーダライタの使用が確実にでき、データの読み取りが容易に確認できる。
【００３１】
第２のＩＣタグ１７は、木材製品１８の平面部（図４における上面）に固定され、第２のＩＣタグ１７は木材製品１９の側面（図４における側面）に固定される。固定方法は、第２のＩＣタグ１７の両端部を、第１のＩＣタグ１１と同様に、ステップル或いは釘で木材製品１７、１８に打ち付けて固定するが、接着材で固定してもよい。また、第２のＩＣタグ１７は、木材製品２０の固定部位を平面部の凹部（図４の上面）にして固定すれば、木材製品２０を重ねて保管、搬送する際に第２のＩＣタグ１７が他の木材製品と擦れて破損する恐れがなくなる。この凹部は、１〜２ｍｍ程度の窪み加工、又は深さ１〜１０ｍｍ程度の切削加工等のプレカット加工で通常実施されている比較的容易な加工を施すことにより形成され、その内部空間形状は四角柱をなすように形成されている。
【００３２】
上記のように第２のＩＣタグ１７を取り付けた木材製品１８、１９、２０は、プレカット加工時、搬送・搬入時、組立時等において、それぞれリーダライタにて第２のＩＣタグ１７に保有されたデータを読むことで簡単に木材製品やその木材製品の状態を把握し、管理することができる。尚、搬送用の機器や加工機にリーダライタを設置することでデータの書き込みや読み取りを自動化することも可能である。
【００３３】
次に、第１、第２のＩＣタグの形状、固定部の形状、固定の仕方の変更例を説明する。尚、第１、第２のＩＣタグは同じ形態を有すので、ここではＩＣタグとして説明する。
【００３４】
図５は、外形の異なるＩＣタグの変更例を示し、ＩＣチップ２６及びアンテナ２７を被覆するフレキシブル絶縁材の形状が正方形状を形成し、小型にしてアンテナ２７を長くしている。ＩＣタグの両端部に設ける固定部は、切欠き３１を有している。
【００３５】
図６は、ＩＣタグの固定部の変更例を示し、両端部に釘状の固定部材を挿入する穴２８を設けており、簡易な固定構造である。
【００３６】
ＩＣタグの固定部の他の変形例として、図示はしないが、鋲を入れ込むための大きめの孔又は切り込みを設けることができる。
【００３７】
図７は、ＩＣタグの一端部に突部を設けた状態を示す一部斜視図であり、端部に設けた固定部２９の内側近くに角錐状の突部３０を設けている。この突部３０は、ＩＣタグの両端部に設けられ、木材製品に固定したときにＩＣタグの全面が木材製品に接触することを防ぎ、木材製品との間に隙間ができるように構成して、ＩＣチップの表面に傷を付け難くしＩＣチップの情報を読み取りを確実にすることができる。
【００３８】
尚、ＩＣタグの一端部に設ける突部３０は円錐状であるが、突部は角錐状、円柱状、角柱状に形成してもよい。
【００３９】
木材製品１８、１９、２０は、木造建築物の組立材として使用される所定の長さを有すもので、その断面形状は三角形、多角形、丸形等をなすものでもよく、また、それら形状の木材に凹部をそれぞれ形成して認識タグを付設してもよい。
【００４０】
上記実施例では、第１のＩＣタグを取り外した後に第２のＩＣタグとしてプレカット加工後の木材製品の製品認識情報を入力して使用するが、第２のＩＣタグとして原材料木材の木材認識情報を入力して、第１のＩＣタグと同様にして再利用してもよい。
【産業上の利用可能性】
【００４１】
本発明における木材は、主に住宅用建物の組立材として使用する木材に認証タグを取り付けることを対象としているが、家具や建造物、資材等に用いる木材や、板材等にも同様に認証タグを取り付けることが可能である。
【符号の説明】
【００４２】
１    木材倉庫
２    プレカット設備
３    建築現場
Ａ    住宅メーカ・工務店
Ｂ    プレカット会社
Ｃ    木材販売会社
１０  木材
１０１  端面
１１  第１のＩＣタグ
１５  固定部
１６  固定部材
１７  第２のＩＣタグ
１８、１９、２０  木材製品
【図１】
0005783695.tif 000002
【図２】
0005783695.tif 000003
【図３】
0005783695.tif 000004
【図４】
0005783695.tif 000005
【図５】
0005783695.tif 000006
【図６】
0005783695.tif 000007
【図７】
0005783695.tif 000008
【図８】
0005783695.tif 000009